(57)【要約】【課題】外部に漏れる騒音を低減するとともに、雨水のパッケージ内への浸入を防止する。【解決手段】発電機４と発電機４を駆動するエンジン５とこれらを冷却する冷却ファン６とを収納したパッケージ１４の上部に吸気消音ダクト１５及び排気消音ダクト１６を設け、吸気消音ダクト１６の下面に吸気口１５ａを設けるとともに、排気消音ダクト１６の上面に排気口１６ａを設け、排気吸音ダクト１６の下部には下方に突出した位置合わせピン兼用の雨樋１８を設け、この雨樋１８を排気吸音ダクト１６の支持部１２の位置合わせ孔１２ａに嵌合してパッケージ１４外に突出させる。【選択図】図１
2008144616.tif 000002
【特許請求の範囲】
【請求項１】
吸気口及び排気口が設けられたパッケージ内に発電機と発電機を駆動するエンジンとこれらを冷却する冷却ファンとが収納された発電装置において、パッケージの上部に上面に前記排気口が形成された排気ダクトを設け、排気ダクトの下部には下方に突出して形成され、排気ダクトの支持部の位置合わせ孔に嵌合してパッケージ外に突出する位置合わせピン兼用の雨樋を設けたことを特徴とする発電装置のパッケージ構造。
【請求項２】
パッケージ外に突出した雨樋の下部に雨樋から漏れ出る騒音を消音する消音器を設けたことを特徴とする請求項１記載の発電装置のパッケージ構造。
【発明の詳細な説明】
【技術分野】
【０００１】
この発明は、発電装置のパッケージ構造に関するものである。
【背景技術】
【０００２】
発電装置には、発電機と発電機を駆動するエンジンとが搭載されており、それらから発生する熱及び騒音を低減するためにパッケージに換気ファン及び消音用ダクトを設置している。パッケージの要求性能では、騒音低減においては、最近の環境意識高揚に相乗して、発電装置に対する要求も高くなり、従来は一般的低騒音仕様の７５ｄＢが要求されたが、最近では７０ｄＢ以下の超低騒音が要求されるようになった。又、電力事情により大型発電装置へシフトしていることから、いかに単位出力当たりの設置面積を最小にするかが課題となっている。このようなことから、発電装置のパッケージ内部構造をいかに最適にして上記要求に応えるかにより、製品価値が決まるようになった。
【０００３】
図７は特許文献１に示された従来の発電装置の正面図を示し、パッケージ１の壁面に吸気口２及び排気口３を備え、パッケージ１内には発電機４、発電機４を駆動するエンジン５、及びこれらを冷却する冷却ファン６を収納する。発電機４やエンジン５等は床上に据え付けられ、下方開口のパッケージ１により覆われる。又、排気口３には排風ダクト７が連接され、排風ダクト７の上面７ａは排気用に開放され、開放された上面７ａには防雨構造として上面ルーバー８が設けられるとともに、排風ダクト７と排気口３との連接面９にも防雨構造として側面ルーバー１０が設けられる。上面ルーバー８は多数の縦に配されたルーバー片８ａの集合体よりなり、側面ルーバー１０は多数の横に配されたルーバー片１０ａの集合体よりなる。
【０００４】
上記構成において、冷却ファン６を回転させると、吸気口２からパッケージ１内に空気か吸入され、発電機４やエンジン５等を順次冷却した後、排気口３から排風ダクト７内に入り、排風ダクト７の上面７ａから外部に排出される。従って、発電機４やエンジン５等が冷却され、雨水の浸入も各ルーバー８，１０により阻止され、また排風ダクト７は上面７ａが開放されているので、騒音も外部に漏れ難い。
【０００５】
なお、この出願の発明に関連する先行技術文献情報としては、特許文献１の外に特許文献２〜４がある。
【特許文献１】実用新案登録第２６０３７３８号公報
【特許文献２】特開平８−２７５３１４号公報
【特許文献３】登録実用新案第３０５１６８１号公報
【特許文献４】実用新案登録第３０９６２５３号公報
【発明の開示】
【発明が解決しようとする課題】
【０００６】
ところで、騒音については、一般的に、人が歩く高さを重要視しており、機器の周囲高さが１．２ｍの位置での騒音レベルが低いものが最良となっている。このようなことから、パッケージの吸気口及び排気口からは騒音が漏れ易いため、工夫が必要である。そのため、従来では、排気口の位置を発電装置の上部に設け、騒音を低減するようにしていた。しかしながら、排気口を上部に設けた場合には、屋外仕様では、どうしても雨が排気口から浸入し易くなり、雨じまいをしっかりしておかないと、雨漏れの原因となった。図８は従来の発電装置の要部縦断側面図を示し、１１はパッケージ本体であり、パッケージ本体１１上には溝形鋼からなる支持部１２を介して排気消音ダクト１３を載置し、支持部１２に設けた位置合わせ孔１２ａと排気消音ダクト１３の底部に設けた位置合わせ孔１３ａとにより位置決めしており、図示しない排気口から排気消音ダクト１３内に入った雨水の一部は、孔１２ａ，１３ａからパッケージ外に排出されるが、その雨対策が人手に頼っていたため、作業の欠落やコーキングの割れが発生すると、パッケージ内部への雨漏れが生じ、雨水がパッケージ内に浸入することとなった。
【０００７】
この発明は上記のような課題を解決するために成されたものであり、外部に漏れる騒音を低減することができるとともに、雨水のパッケージ内への浸入を防止することができる発電装置のパッケージ構造を得ることを目的とする。
【課題を解決するための手段】
【０００８】
この発明の請求項１に係る発電装置のパッケージ構造は、吸気口及び排気口が設けられたパッケージ内に発電機と発電機を駆動するエンジンとこれらを冷却する冷却ファンとが収納された発電装置において、パッケージの上部に上面に前記排気口が形成された排気ダクトを設け、排気ダクトの下部には下方に突出して形成され、排気ダクトの支持部の位置合わせ孔に嵌合してパッケージ外に突出する位置合わせピン兼用の雨樋を設けたものである。
【０００９】
請求項２に係る発電装置のパッケージ構造は、パッケージ外に突出した雨樋の下部に雨樋から漏れ出る騒音を消音する消音器を設けたものである。
【発明の効果】
【００１０】
以上のようにこの発明の請求項１によれば、パッケージの上部に設けた排気ダクトの上面に排気口を形成しており、排気口からの騒音が外部に漏れ難くなった。又、排気ダクトには位置合わせピン兼用の雨樋を下方に突出して設け、この雨樋を排気ダクトの支持部の位置合わせ孔に嵌合してパッケージ外に突出させており、排気ダクト内に入った雨水をこの雨樋を介してパッケージ外に円滑に排出することができ、排気ダクトの底部からパッケージ内部への雨漏りによる雨水の浸入を防止することができる。
【００１１】
請求項２によれば、パッケージ外に突出した雨樋の下部に雨樋から漏れ出る騒音を消音する消音器を設けたので、雨樋の下端から漏れ出る騒音を低減することができる。
【発明を実施するための最良の形態】
【００１２】
実施最良形態１
以下、この発明を実施するための最良の形態を図面とともに説明する。図１（ａ）はこの発明の実施最良形態１による発電装置の組立後の要部縦断側面図であって、図３のＡ部拡大図であり、図１（ｂ）はその組立前の要部縦断側面図である。又、図２（ａ），（ｂ）は実施最良形態１による発電装置の一部横断平面図及び一部縦断正面図、図３は図２（ｂ）のＢ−Ｂ線縦断拡大側面図である。図において、１４はパッケージであり、パッケージ１４はパッケージ本体１１の上部に溝形鋼からなる支持部１２を介して吸気消音ダクト１５及び排気消音ダクト１６が設けられる。吸気消音ダクト１５及び排気消音ダクト１６は消音機能を有している。吸気消音ダクト１５には下面に吸気口１５ａが設けられるとともに、排気消音ダクト１６には上面に排気口１６ａが設けられ、吸気消音ダクト１５と排気消音ダクト１６との間には仕切壁１７が形成される。又、パッケージ本体１１内には発電機４、発電機４を駆動するエンジン５及びこれらを冷却する冷却ファン６が収納される。
【００１３】
又、図１（ａ），（ｂ）に示すように、排気消音ダクト１６の下部には下方に突出して位置合わせピン兼用の雨樋１８が形成され、この雨樋１８を支持部１２の位置合わせ孔１２ａに嵌合して、パッケージ１４外に突出させる。
【００１４】
上記構成において、冷却ファン６を回転させると、吸気口１５ａから吸気消音ダクト１５内に空気が吸入され、この空気はパッケージ本体１１内に入り、発電機４やエンジン５等を順次冷却した後、排気消音ダクト１６内に入り、排気消音ダクト１６の上面に設けられた排気口１６ａから外部に排出される。又、排気消音ダクト１６の下部に設けられた雨樋１８は支持部１２の位置合わせ孔１２ａに嵌合しており、排気消音ダクト１６の位置合わせが行われるとともに、排気消音ダクト１６内に浸入した雨水は雨樋１８からパッケージ１４外に排出され、作業の欠落やコーキングの割れが発生してもパッケージ１４内への雨水の浸入を防止することができる。
【００１５】
実施最良形態１においては、パッケージ１４の上部に設けた排気消音ダクト１６の上面に排気口１６ａを形成しており、排気口１６ａからの騒音が外部に漏れ難い。又、排気消音ダクト１６の下部に位置合わせピン兼用の雨樋１８を設けたので、排気消音ダクト１６の位置合わせが容易であるとともに、排気消音ダクト１６内に浸入した雨水は雨樋１８からパッケージ１４外に排出されるので、パッケージ１４内への雨水の浸入を防止することができる。
【００１６】
実施最良形態２
図４（ａ）はこの発明の実施最良形態２による発電装置の組立後の要部縦断側面図であって、図５のＣ部拡大図であり、図４（ｂ）はその組立前の要部縦断側面図である。又、図５は図２（ｂ）のＢ−Ｂ線縦断拡大側面図に相当する図である。図６（ａ），（ｂ）は実施最良形態２による消音器の側面図及び正面図である。実施最良形態１との相違点は、パッケージ１４外に突出した位置合わせピン兼用の雨樋１８の下部に雨樋１８から漏れ出る騒音を消音する消音器１９を設けた点にある。その他の点は実施最良形態１と同様である。
【００１７】
実施最良形態２においては、雨樋１８の下部に消音器１９を設けたので、雨樋１８から漏れ出る騒音を低減することができる。その他の効果は実施最良形態１の効果と同様である。
【図面の簡単な説明】
【００１８】
【図１】（ａ）はこの発明の実施最良形態１による発電装置の組立後の要部縦断側面図であって、図３のＡ部拡大図である。（ｂ）はその組立前の要部縦断側面図である。
【図２】実施最良形態１による発電装置の一部横断平面図及び一部縦断平面図である。
【図３】図２（ｂ）のB−B線縦断拡大側面図である。
【図４】（ａ）はこの発明の実施最良形態２による発電装置の組立後の要部縦断側面図であって、図５のＣ部拡大図である。（ｂ）はその組立前の要部縦断側面図である。
【図５】図２（ｂ）のＢ−Ｂ線縦断拡大側面図に相当する図である。
【図６】実施最良形態２による消音器の側面図及び正面図である。
【図７】特許文献１に示された従来の発電装置の正面図である。
【図８】従来の発電装置の要部縦断側面図である。
【符号の説明】
【００１９】
４…発電機
５…エンジン
６…冷却ファン
１１…パッケージ本体
１２…支持部
１２ａ…位置合わせ孔
１４…パッケージ
１５…吸気消音ダクト
１５ａ…吸気口
１６…排気消音ダクト
１６ａ…排気口
１８…位置合わせピン兼用雨樋
１９…消音器
【図１】
2008144616.tif 000003
【図２】
2008144616.tif 000004
【図３】
2008144616.tif 000005
【図４】
2008144616.tif 000006
【図５】
2008144616.tif 000007
【図６】
2008144616.tif 000008
【図７】
2008144616.tif 000009
【図８】
2008144616.tif 000010